(57)【要約】【課題】周波数が異なる複数の搬送波のＲＦ信号を中継することができ、その消費電力は従来のものより小さく、さらに、低コストである中継システムを提供すること。【解決手段】中継システムにおいて、親局装置１０で受信されたＲＦ信号は、キャリア周波数検出部１２を経由してミキサ１３へ供給される。キャリア周波数検出部１２では、キャリア周波数が検出される。キャリア周波数は、キャリア周波数情報に変換され、制御部１５でローカル周波数となり、ミキサ１３に出力される。ＲＦ信号は、ミキサ１３でローカル周波数により規定の周波数のＩＦ信号に変換され、その周波数のみを通過させる帯域通過フィルタ１６を通過した後、キャリア周波数情報とともに子局装置２０へ伝送される。子局装置２０は、伝送されたキャリア周波数情報に基づいて、ＩＦ信号を親局装置１０で受信されたＲＦ信号と同一のＲＦ信号に再変換し、送信部２９から再送信する。【選択図】      図１
2008236047.tif 000002
【特許請求の範囲】
【請求項１】
無線信号を親局装置で受信し、当該親局装置に接続される子局装置から前記無線信号を再送信する中継システムにおいて、
前記親局装置は、
前記受信した無線信号の搬送波の周波数を検出する検出部と、
前記検出部で検出された周波数に基づいて前記無線信号を規定の周波数のＩＦ（Intermediate Frequency：中間周波数）信号に変換する周波数変換部と、
前記周波数を示す周波数情報と前記ＩＦ信号とを多重して前記子局装置に伝送する多重部と
を具備し、
前記子局装置は、
前記親局装置から伝送された信号を前記周波数情報と前記ＩＦ信号とに分離する分離部と、
前記分離部で分離された周波数情報に基づいて前記ＩＦ信号から前記無線信号を再生する再生部と
を具備することを特徴とする中継システム。
【請求項２】
前記親局装置は、前記周波数情報を周波数変調する周波数変調部を具備し、
前記多重部は、前記規定の周波数のＩＦ信号と前記周波数変調された周波数情報とを多重して前記子局装置に伝送することを特徴とする請求項１に記載の中継システム。
【請求項３】
前記親局装置は、前記周波数情報を振幅変調する振幅変調部を具備し、
前記多重部は、前記規定の周波数のＩＦ信号と前記振幅変調された周波数情報とを多重して前記子局装置に伝送することを特徴とする請求項１に記載の中継システム。
【請求項４】
前記親局装置は、
前記規定の周波数のＩＦ信号をデジタル変換してデジタルデータを生成するアナログ−デジタル変換部を具備し、
前記多重部は、前記デジタルデータに前記周波数情報を書き込むことで当該周波数情報を多重し、
前記分離部は、前記デジタルデータから前記周波数情報を抽出し、
前記子局装置は、前記デジタルデータをアナログ変換してアナログのＩＦ信号を生成するデジタル−アナログ変換部を具備することを特徴とする請求項１に記載の中継システム。
【請求項５】
前記親局装置と前記子局装置とは、光伝送路によって接続され、
前記親局装置は、前記多重部から出力される信号を光信号に変換して前記光伝送路に出力する電気−光変換手段を具備し、
前記子局装置は、前記光伝送路からの前記光信号を、前記周波数情報と前記ＩＦ信号とが多重された信号に変換して前記分離部に出力する光−電気変換手段を具備することを特徴とする請求項１に記載の中継システム。
【請求項６】
前記親局装置から前記子局装置への下り方向に用いられる搬送波の周波数と、前記子局装置から前記親局装置への上り方向に用いられる搬送波の周波数との対応関係がキャリア毎に定められている場合に、
前記子局装置は、
前記上り方向で伝送すべき無線帯域の上り信号を、前記ＩＦ信号とは周波数の異なる上りＩＦ信号に変換して前記親局装置に向け前記上り方向で伝送する伝送手段を備え、
前記親局装置は、
前記検出部で検出された周波数と前記対応関係とに基づいて前記子局装置からの前記上りＩＦ信号を周波数変換して、当該上りＩＦ信号から前記上り信号を再生する信号再生部を備えることを特徴とする請求項１に記載の中継システム。
【請求項７】
無線信号を親局装置で受信し、当該親局装置に接続される子局装置から前記無線信号を再送信する中継システムに用いられる前記親局装置において、
前記受信した無線信号の搬送波の周波数を検出する検出部と、
前記検出部で検出された周波数に基づいて前記無線信号を規定の周波数のＩＦ（Intermediate Frequency：中間周波数）信号に変換する周波数変換部と、
前記周波数を示す周波数情報と前記ＩＦ信号とを多重して前記子局装置に伝送する多重部と
を具備することを特徴とする親局装置。
【請求項８】
前記周波数情報を周波数変調する周波数変調部を具備し、
前記多重部は、前記規定の周波数のＩＦ信号と前記周波数変調された周波数情報とを多重して前記子局装置に伝送することを特徴とする請求項７に記載の親局装置。
【請求項９】
前記周波数情報を振幅変調する振幅変調部を具備し、
前記多重部は、前記規定の周波数のＩＦ信号と前記振幅変調された周波数情報とを多重して前記子局装置に伝送することを特徴とする請求項７に記載の親局装置。
【請求項１０】
前記規定の周波数のＩＦ信号をデジタル変換してデジタルデータを生成するアナログ−デジタル変換部を具備し、
前記多重部は、前記デジタルデータに前記周波数情報を書き込むことで当該周波数情報を多重することを特徴とする請求項７に記載の親局装置。
【請求項１１】
光伝送路によって前記子局装置に接続され、
前記多重部から出力される信号を光信号に変換して前記光伝送路に出力する電気−光変換手段を具備することを特徴とする請求項７に記載の親局装置。
【請求項１２】
前記親局装置から前記子局装置への下り方向に用いられる搬送波の周波数と、前記子局装置から前記親局装置への上り方向に用いられる搬送波の周波数との対応関係がキャリア毎に定められ、前記子局装置が、前記上り方向で伝送すべき無線帯域の上り信号を、前記ＩＦ信号とは周波数の異なる上りＩＦ信号に変換して前記親局装置に向け前記上り方向で伝送する伝送手段を具備する中継システムに用いられる前記親局装置であって、
前記検出部で検出された周波数と前記対応関係とに基づいて前記子局装置からの前記上りＩＦ信号を周波数変換して、当該上りＩＦ信号から前記上り信号を再生する信号再生部を備えることを特徴とする請求項７に記載の親局装置。
【請求項１３】
無線信号を親局装置で受信し、当該親局装置に接続される子局装置から前記無線信号を再送信する中継システムであって、前記親局装置が、前記受信した無線信号の搬送波の周波数を検出する検出部と、前記検出部で検出された周波数に基づいて前記無線信号を規定の周波数のＩＦ（Intermediate Frequency：中間周波数）信号に変換する周波数変換部と、前記周波数を示す周波数情報と前記ＩＦ信号とを多重して前記子局装置に伝送する多重部とを具備する中継システムに用いられる前記子局装置であって、
前記親局装置から伝送された信号を前記周波数情報と前記ＩＦ信号とに分離する分離部と、
前記分離部で分離された周波数情報に基づいて前記ＩＦ信号から前記無線信号を再生する再生部と
を具備することを特徴とする子局装置。
【請求項１４】
前記親局装置が、前記規定の周波数のＩＦ信号をデジタル変換してデジタルデータを生成するアナログ−デジタル変換部を具備し、前記多重部が、前記デジタルデータに前記周波数情報を書き込むことで当該周波数情報を多重する場合に、
さらに、前記デジタルデータをアナログ変換してアナログのＩＦ信号を生成するデジタル−アナログ変換部を具備し、
前記分離部は、前記デジタルデータから前記周波数情報を抽出することを特徴とする請求項１３に記載の子局装置。
【請求項１５】
光伝送路によって前記親局装置に接続され、前記親局装置が、前記多重部から出力される信号を光信号に変換して前記光伝送路に出力する電気−光変換手段を具備する場合に、
前記光伝送路からの前記光信号を、前記周波数情報と前記ＩＦ信号とが多重された信号に変換して前記分離部に出力する光−電気変換手段を具備することを特徴とする請求項１３に記載の子局装置。
【請求項１６】
前記親局装置から前記子局装置への下り方向に用いられる搬送波の周波数と、前記子局装置から前記親局装置への上り方向に用いられる搬送波の周波数との対応関係がキャリア毎に定められている場合に、
前記上り方向で伝送すべき無線帯域の上り信号を、前記ＩＦ信号とは周波数の異なる上りＩＦ信号に変換して前記親局装置に向け前記上り方向で伝送する伝送手段を備えることを特徴とする請求項１３に記載の子局装置。
【発明の詳細な説明】
【技術分野】
【０００１】
本発明は、例えばＲＦ（Radio Frequency）信号の不感エリアをカバーする中継システムと、この中継システムに用いられる親局装置および子局装置に関する。
【背景技術】
【０００２】
近時、陸上移動通信のシステムにおける不感地対策、あるいは基地局のカバーエリアの拡大等を目的として、基地局とアンテナとの間を中継システムにて中継する技術の適用が進んでいる。中継システムでは、基地局からのＲＦ（Radio Frequency）信号を受信し、中継システム内部の周波数変換部によりＩＦ（Intermediate Frequency）帯の信号に変換して伝送し、前述とは別の周波数変換部により再度ＲＦ信号に変換した後、送信アンテナから再送信する（例えば、特許文献１を参照）。
【０００３】
また、基地局とアンテナとの間をＲＯＦ（Radio Over Fiber）システムを用いた中継システムにて中継する方法もある。ＲＯＦシステムは、基地局からのＲＦ（Radio Frequency）信号を親局装置において光信号に変換して中継した後、子局装置にて再度ＲＦ信号に変換して送信アンテナから送受信する。光信号を伝送する光ファイバは伝送損失が小さいため、ＲＯＦ技術を用いることにより、数ｋｍの範囲にわたってアンテナを配置することが可能になる。また、基地局機能を集約化するために数十ｋｍの光中継を行うことも実現されている。さらにＲＯＦ技術は、高層ビルやイベントホール等の電波不感エリアをカバーするために、比較的低出力のアンテナを複数分散配置して不感エリア対策を行う場合などにおいても有効に利用できる。
【０００４】
ところで、この種の中継システムでは通信事業者（キャリア）毎に割り当てられたＲＦ信号の搬送波帯域が、所定の伝送帯域を周波数軸上で例えば４つに分割され、その分割されたいずれかの帯域で基地局と携帯電話端末との間で通信を行う。キャリア毎の帯域割り当てに対して、これらの帯域の全てをカバーすべく中継システムを設計する必要がある。また更に、携帯電話用の通信帯域が複数の通信事業者に割り当てられる場合には、更にそのカバーする帯域を広く取らねばならない。そのため、既存の技術では、例えば内部フィルタなどに、全ての帯域をカバー可能な特性を持つものを使用している。しかしながら、周知のようにデバイスの帯域が広がるとその消費電力は大きくなり、価格も高くなる。
【特許文献１】特開平１１−２７１９４号公報
【発明の開示】
【発明が解決しようとする課題】
【０００５】
以上述べたように既存の中継システムは、全ての搬送波帯域をカバーするために、消費電力が大きく、価格の高価なデバイスとならざるを得ない。また、現実的には１つのキャリアのみ、従って、１つの搬送波のみを取り扱うことができれば十分な場合が多いにも拘わらず、現場では複数のキャリアに対する使用を想定しなければならない。このため、本来不要なコスト上昇を招いているおそれがあり、何らかの対処が望まれている。
【０００６】
この発明は上記事情によりなされたもので、その目的は、キャリアごとの帯域割り当ての変更に備え、かつ、消費電力が小さく、低コストな中継システムとこのシステムに用いられる親局装置および子局装置を提供することにある。
【課題を解決するための手段】
【０００７】
上記目的を達成するため、本発明は、無線信号を親局装置で受信し、当該親局装置に接続される子局装置から前記無線信号を再放射することで前記無線信号を中継する中継システムにおいて、前記親局装置は、前記受信した無線信号の搬送波の周波数を検出する検出部と、前記検出部で検出された周波数に基づいて前記無線信号を規定の周波数のＩＦ（Intermediate Frequency：中間周波数）信号に変換する周波数変換部と、前記周波数を示す周波数情報と前記ＩＦ信号とを多重して前記子局装置に伝送する多重部とを具備し、前記子局装置は、前記親局装置から伝送された信号を前記周波数情報と前記ＩＦ信号とに分離する分離部と、前記分離部で分離された周波数情報に基づいて前記ＩＦ信号から前記無線信号を再生する再生部とを具備する。
【０００８】
このようにして、親局装置は、検出部で検出した無線信号の搬送波の周波数に基づいて、受信した無線信号を規定の周波数のＩＦ信号に変換し、このＩＦ信号と搬送波の周波数を示す周波数情報とを多重し、子局装置へ伝送する。子局装置は、この周波数情報に基づいてＩＦ信号を、親局装置が受信した無線信号と同一の無線信号に変換して送信する。これにより、搬送波帯域が異なる無線信号が受信されても、規定の周波数のＩＦ信号だけを用いて、親局装置と子局装置との間で交信することが可能となる。
【発明の効果】
【０００９】
以上のように本発明にかかわる中継システムでは、搬送波帯域が異なる無線信号を、規定の周波数のＩＦ信号に変換することが可能であるため、周波数を選択するためのデバイスが１つで、周波数の異なる複数の搬送波へ対応できる。これにより、複数の搬送波帯域の割り当ての変更に備え、かつ、消費電力が小さく、低コストな中継システムとこのシステムに用いられる親局装置および子局装置を提供することが可能となる。
【発明を実施するための最良の形態】
【００１０】
以下、図面を参照しながら本発明の実施の形態について詳細に説明する。
【００１１】
（第１の実施形態）
図１は、本発明の第１の実施形態に係る中継システムの概略構成を示すブロック図である。なお、ＲＦ信号の搬送波帯域はキャリアごとに予め決められており、図１におけるＲＦ信号は、複数ある中のいずれか１つの搬送波帯域で伝送されるＲＦ信号を示す。
【００１２】
図１において、ＲＦ信号は、親局装置１０で受信され、ＩＦ信号に変換される。このＩＦ信号は、子局装置２０へ伝送される。子局装置２０では、ＩＦ信号は、親局装置１０で受信されたＲＦ信号と同一の周波数のＲＦ信号に再変換されて再送信される。
【００１３】
親局装置１０において、受信部１１で受信されたＲＦ信号は、キャリア周波数検出部１２を経由し、ミキサ１３に供給される。キャリア周波数検出部１２は、このＲＦ信号の搬送波の周波数をキャリア周波数として検出し、記憶部１４に出力する。記憶部１４は、このキャリア周波数に基づいて、このキャリア周波数と対応するキャリア周波数情報を制御部１５に出力する。このとき、記憶部１４は、出力したキャリア周波数情報を記憶する。
【００１４】
制御部１５において、キャリア周波数情報は、ローカル周波数生成部１５１と変調部１５２とに供給される。ローカル周波数生成部１５１は、入力されたキャリア周波数情報と対応したローカル周波数を生成し、ミキサ１３へ出力する。変調部１５２は、入力されたキャリア周波数情報を変調する。なお、変調部１５２におけるキャリア周波数情報の変調方式には、周波数変調方式や振幅変調方式等を用いることができ、その他の方法を用いても同様に実施可能である。
【００１５】
ミキサ１３は、ローカル周波数生成部１５１で生成されるローカル周波数により、供給されたＲＦ信号をＩＦ帯の信号にダウンコンバートする。その後、ＩＦ信号は、その周波数帯の信号のみを通過させる帯域通過フィルタ１６を通過し、多重部１７において変調部１５２で変調されたキャリア周波数情報を多重された後、出力部１８により、子局装置２０へ出力される。
【００１６】
子局装置２０において、入力部２１から入力された信号は、２系統に分岐され、一方がＩＦ信号のみを通過させる帯域通過フィルタ２２に出力され、他方がキャリア周波数情報の変調信号のみを通過させる帯域通過フィルタ２３に出力される。帯域通過フィルタ２２を通過したＩＦ信号は、ミキサ２４に供給される。帯域通過フィルタ２３を通過したキャリア周波数情報の変調信号は、復調部２５でキャリア周波数情報に復調され、記憶部２６を介し制御部２７へ出力される。記憶部２６は、復調部２５から入力されたキャリア周波数情報を記憶する。制御部２７は、入力されたキャリア周波数情報からローカル周波数を生成し、ミキサ２４へ出力する。
【００１７】
ミキサ２４は、制御部２７で生成されるローカル周波数により、供給されたＩＦ信号を、受信部１１で受信されたＲＦ信号と同一のＲＦ信号にアップコンバートする。その後、ＲＦ信号は、不要な周波数成分を除去する帯域通過フィルタ２８を通過し、送信部２９から送信される。
【００１８】
次に、上記構成における中継システムにおいて、そのＲＦ信号の中継動作を詳細に説明する。
【００１９】
図２は、本発明の第１の実施形態に係る中継システムにおいて受信されるＲＦ信号を示す模式図である。図２（ａ）はＲＦ信号の周波数分布を示し、図２（ｂ）は記憶部１４に記憶されている検出キャリア周波数とキャリア周波数情報の各値を示している。
【００２０】
図３は、本発明の第１の実施形態に係る中継システムにおけるＲＦ信号の周波数変換の模式図を示すものであり、（ａ）はキャリア周波数検出部１２で検出されるＲＦ信号＃１の模式図、（ｂ）はＲＦ信号＃１が周波数ａのＩＦ信号にダウンコンバートされる模式図、（ｃ）は周波数ａのＩＦ信号がＲＦ信号＃１にアップコンバートされる模式図、（ｄ）はＲＦ信号毎のローカル周波数を示す図である。
【００２１】
親局装置１０の受信部１１でＲＦ信号が受信されると、キャリア周波数検出部１２は、そのＲＦ信号の搬送波のキャリア周波数を検出する。本実施例では、ＲＦ信号がＲＦ信号＃１である場合を説明する。ＲＦ信号＃１の搬送波の検出キャリア周波数は“ｆ＝Ｒｆ０＋ｄ１”であり、図３（ａ）に示すようになっている。この検出キャリア周波数“ｆ＝Ｒｆ０＋ｄ１”に基づいて、記憶部１４からその検出キャリア周波数に対応するキャリア周波数情報“ｃｈ１”が出力され、ローカル周波数生成部１５１に供給される。ローカル周波数生成部１５１は、キャリア周波数情報“ｃｈ１”のＲＦ信号を、周波数ａのＩＦ信号に変換するべくローカル周波数“ｆ＝Ｒｆ０＋ｄ１−ａ”を生成し、ミキサ１３に供給する。ミキサ１３は、ローカル周波数“ｆ＝Ｒｆ０＋ｄ１−ａ”により、図３（ｂ）に示すように、ＲＦ信号＃１を周波数ａのＩＦ信号にダウンコンバートする。
【００２２】
このとき、ＩＦ信号の周波数は、受信部１１で受信されるＲＦ信号が、図２および図３におけるＲＦ信号＃０、＃１、＃２、＃３のどれであっても同一の周波数ａとなるようにしている。
【００２３】
子局装置２０において、入力部２１から入力された信号は、帯域通過フィルタ２２，２３によりキャリア周波数情報“ｃｈ１”の変調信号とＩＦ信号とに分離される。キャリア周波数情報“ｃｈ１”の変調信号は、復調部２５で復調された後、制御部２７に供給され、ＩＦ信号はミキサ２４に供給される。制御部２７は、周波数ａのＩＦ信号を、キャリア周波数情報“ｃｈ１”のＲＦ信号に変換するべくローカル信号“ｆ＝Ｒｆ０＋ｄ１−ａ”を生成し、ミキサ２４に供給する。ミキサ２４は、ローカル信号“ｆ＝Ｒｆ０＋ｄ１−ａ”により、図３（ｃ）に示すように、周波数ａのＩＦ信号をＲＦ信号＃１にアップコンバートする。
【００２４】
以上のように、上記実施形態では、親局装置１０が、搬送波の周波数がそれぞれ異なるＲＦ信号を、いずれも同一の周波数ａのＩＦ信号にダウンコンバートしてその周波数帯だけを通過させる帯域通過フィルタ１６を通過させた後、キャリア周波数情報の変調信号と多重させて子局装置２０に伝送している。子局装置２０では、キャリア周波数情報に基づき、このＩＦ信号を、親局装置１０が受信したＲＦ信号と同一のＲＦ信号にアップコンバートして送信することにより、ＲＦ信号を中継している。これにより、キャリア毎の搬送波帯域割り当ての変更がある場合でも、受信されたＲＦ信号を一定周波数のＩＦ信号に変換することにより、親局装置１０と子局装置２０との間における信号伝送の帯域を狭くできる。
【００２５】
したがって、親局装置１０と子局装置２０との間における信号伝送の帯域を狭くできるため、内部フィルタ等によりキャリア毎の搬送波帯域を全てカバーする必要がなくなり、かつ、搬送波帯域割り当ての変更に対応できるようになる。また、親局装置１０における帯域通過フィルタは規定の周波数のＩＦ信号のみを通過させるフィルタのみでよいため、消費電力の低下、回路規模の縮小、および低コスト化が可能となる。
【００２６】
（第２の実施形態）
信号伝送における下り方向はダウンリンク、上り方向はアップリンクと称され、第１の実施形態ではダウンリンクの信号伝送について詳しく説明した。本実施形態ではダウンリンクの信号伝送と共に、アップリンクの信号伝送も可能な中継システムの説明をする。
【００２７】
図４は、本発明の第２の実施形態に係る中継システムの概略構成を示すブロック図である。なお、図４は、アップリンクの信号伝送のための構成のみを記載しており、ダウンリンクの信号伝送のための構成は図１と同様であるとの理由により省略してある。また、図１と同一部分には同一符号を付して示し、ここでは重複する説明を省略する。
【００２８】
本実施形態において、ダウンリンクの搬送波帯域とアップリンクの搬送波帯域とは、それぞれのキャリア毎に予め設定されているシステムを想定する。つまり、ダウンリンクの搬送波帯域とアップリンクの搬送波帯域との対応が決まっているので、ダウンリンクの搬送波帯域を把握できれば、必然的にアップリンクの搬送波帯域をも把握できることになる。
【００２９】
図４において、アップリンクにおけるＲＦ信号であるアップリンクＲＦ信号は、子局装置２０の受信部２９で受信され、ミキサ２４に出力される。
【００３０】
記憶部２６は、ダウンリンクで親局装置１０から伝送されたキャリア周波数情報２６１を記憶しており、このキャリア周波数情報を制御部２７へ出力する。制御部２７は、このキャリア周波数情報と対応したローカル周波数を生成し、ミキサ２４へ出力する。
【００３１】
ミキサ２４は、制御部２７で生成されるローカル周波数により、供給されたアップリンクＲＦ信号を規定の周波数のアップリンクＩＦ信号にダウンコンバートする。このとき、アップリンクＩＦ信号の周波数は、第１の実施形態におけるＩＦ信号の周波数とは異なる。アップリンクＩＦ信号は、その周波数帯の信号のみを通過させる帯域通過フィルタ２１０を通過し、出力部２１１から親局装置１０へ出力される。
【００３２】
アップリンクＩＦ信号は、親局装置１０の入力部１９から入力され、ミキサ１３に供給される。
【００３３】
子局装置２０の記憶部２６と同様、記憶部１４にも、ダウンリンクで使用されたキャリア周波数情報が記憶されており、記憶部１４は、そのキャリア周波数情報を制御部１５に供給する。制御部１５のローカル周波数生成部１５１は、入力されたキャリア周波数情報と対応したローカル周波数を生成し、ミキサ１３に供給する。
【００３４】
ミキサ１３は、ローカル周波数生成部１５１で生成されたローカル周波数により、供給されたアップリンクＩＦ信号を、子局装置２０の受信部２９で受信されたアップリンクＲＦ信号を同一のアップリンクＲＦ信号にアップコンバートする。
【００３５】
その後、アップリンクＲＦ信号は、不要な周波数成分を除去する帯域通過フィルタ１１０を通過し、送信部１１１から送信される。
【００３６】
以上のように、ダウンリンクの搬送波帯域とアップリンクの搬送波帯域との対応が決まっている場合には、ダウンリンクでのキャリア周波数情報がわかれば、子局装置は、アップリンクのアップリンクＲＦ信号をアップリンクＩＦ信号にダウンコンバートするためのローカル周波数を、アップリンクＲＦ信号のキャリア周波数を検出せずに生成することが可能となる。また、親局装置はアップリンクで到来するアップリンクＩＦ信号をアップリンクＲＦ信号に再生するためのローカル周波数を、子局装置からの情報を必要とせずに生成することが可能となる。
【００３７】
したがって、アップリンクでは、子局装置１０においてアップリンクＲＦ信号のキャリア周波数を検出せずとも、アップリンクＲＦ信号のダウンコンバートが可能となる。つまり、子局装置１０には、キャリア周波数を検出するための機能が不要となるため、中継システムの消費電力のさらなる低下、回路規模の縮小および低コスト化が可能となる。また、子局装置から親局装置へキャリア周波数情報を通知せずとも、親局装置においてアップリンクＩＦ信号をアップリンクＲＦ信号にアップコンバートすることができる。つまり、子局装置にはキャリア周波数情報を多重させるための機能が必要なくなるため、これもまた、上述のように、中継システムの消費電力のさらなる低下、回路規模の縮小および低コスト化を可能とする。
【００３８】
（第３の実施形態）
図５は、本発明の第３の実施形態に係る中継システムの概略構成を示すブロック図である。なお、図５は、図１と同様、中継システムのダウンリンクを示しており、図１と同一部分には同一符号を付して示し、ここでは重複する説明を省略する。
【００３９】
図５において、ＲＦ信号は、親局装置１０で受信され、ＩＦ信号に変換された後、デジタル信号に変換されて子局装置２０へ伝送される。子局装置２０では、デジタル信号は、ＩＦ信号に変換された後、親局装置１０で受信されたＲＦ信号と同一の周波数のＲＦ信号に再変換されて送信される。
【００４０】
親局装置１０において、ミキサ１３から出力されるＩＦ信号は、帯域通過フィルタ１６を通過し、アナログ／デジタル変換部（Ａ／Ｄ）１１２でデジタル信号に変換され、フレーミング部１１３に出力される。
【００４１】
フレーミング部１１３は、供給されたデジタル信号と、記憶部１４から出力されるキャリア周波数情報とをデジタル多重して出力部１８に供給する。このとき、フレーミング部１１３は、デジタル信号のペイロードにキャリア周波数情報を書き込む等により、デジタル信号とキャリア周波数情報とを多重する。デジタル信号とキャリア周波数信号とが多重された信号は、出力部１８から子局装置２０へ出力される。
【００４２】
子局装置２０において、入力部２１から入力された信号は、デマルチプレクサ部（ＤＥＭＵＸ）２１２でフレーム同期がなされ、デジタル信号とキャリア周波数情報とに分離される。デジタル信号は、デジタル／アナログ変換部（Ｄ／Ａ）２１３に供給され、キャリア周波数情報は、記憶部２６に供給される。
【００４３】
デジタル信号は、デジタル／アナログ変換部２１３でアナログのＩＦ信号に戻され、ミキサ２４に供給される。ＩＦ信号は、ミキサ２４で、制御部２７からのローカル周波数によりアップコンバートされてＲＦ信号となり、帯域通過フィルタ２８を通過し、送信部２９から送信される。
【００４４】
以上のように、上記実施形態では、親局装置１０において、受信されたＲＦ信号をＩＦ信号にダウンコンバートした後、デジタル化して子局装置２０に伝送している。子局装置２０は、伝送されたデジタル信号をＩＦ信号にアナログ変換した後、このＩＦ信号が親局装置１０で受信したＲＦ信号と同一のＲＦ信号となるべくアップコンバートして、外部に送信している。これにより、キャリア毎の搬送波帯域割り当ての変更がある場合でも、受信されたＲＦ信号を一定周波数のＩＦ信号に変換することにより、親局装置１０と子局装置２０との間における信号伝送の帯域を狭くできる。
【００４５】
したがって、親局装置１０と子局装置２０との間における信号伝送の帯域を狭くできるため、内部フィルタ等によりキャリア毎の搬送波帯域を全てカバーする必要がなくなり、かつ、搬送波帯域割り当ての変更に対応できるようになる。また、親局装置１０における帯域通過フィルタは規定の周波数のＩＦ信号のみを通過させるフィルタのみでよいため、消費電力の低下、回路規模の縮小、および低コスト化が可能となる。
【００４６】
（その他の実施形態）
本発明は上記実施形態に限定されるものではない。例えば、第２の実施形態では、親局装置１０と子局装置２０とがアナログ接続されているアップリンクの信号伝送について説明したが、親局装置１０と子局装置２０とがデジタル接続されているアップリンクの信号伝送についても実施可能である。このときのシステム構成は、図４の帯域通過フィルタ２１０と出力部２１１との間にアナログ／デジタル変換部が設置され、入力部１９とミキサ１３との間にデジタル／アナログ変換部が設置されたものとなる。
【００４７】
また、上記実施形態では、親局装置１０で受信した搬送波のＲＦ信号を変換したＩＦ信号を電気信号のまま子局装置２０に出力する例について説明したが、親局装置１０に電／光変換器を設置し、子局装置２０に光／電変換器を設置することにより、電気信号を光信号に変換し、光伝送路を介して子局装置２０に伝送する場合でも同様に実施可能である。
【００４８】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４９】
【図１】本発明に係る中継システムの第１の実施形態の構成を示すブロック図。
【図２】上記実施形態において受信されるＲＦ信号を示す図。
【図３】上記実施形態において受信されるＲＦ信号の周波数変換の模式図。
【図４】本発明に係る中継システムの第２の実施形態の構成を示すブロック図。
【図５】本発明に係る中継システムの第３の実施形態の構成を示すブロック図。
【符号の説明】
【００５０】
１０…親局装置、２０…子局装置、１１…受信部、１２…キャリア周波数検出部、１３，２４…ミキサ、１４，２６…記憶部、１５，２７…制御部、１５１…ローカル周波数生成部、１５２…変調部、１６，１１０，２２，２３，２８，２１０…帯域通過フィルタ、１７…多重部、１８，２１１…出力部、１９，２１…入力部、１１１，２９…送信部、１１２…Ａ／Ｄ、１１３…フレーミング部、２５…復調部、２１２…ＤＥＭＵＸ、２１３…Ｄ／Ａ、２６１…キャリア周波数情報。
【図１】
2008236047.tif 000003
【図２】
2008236047.tif 000004
【図３】
2008236047.tif 000005
【図４】
2008236047.tif 000006
【図５】
2008236047.tif 000007